(57)【要約】【課題】荷積み荷重や、物流時の振動・落下衝撃荷重に充分耐えられる信頼性の高い包装装置を得ることを目的とする。【解決手段】被包装体を収納する上方が開放した箱体と、この箱体内のいずれか一方の対向側壁面の底面にそれぞれ載置され、前記被包装体を支持する緩衝部材と、を備えた梱包装置において、前記緩衝部材が上下紙板間に中空セルの壁をほぼ垂直に有するハニカム構造からなり、前記中空セルの壁面が前記底面に対してほぼ垂直となるように配置されたものである。【選択図】        図１
2004168328.tif 000002
【特許請求の範囲】
【請求項１】
被包装体を収納する上方が開放した箱体と、この箱体内のいずれか一方の対向側壁面の底面にそれぞれ載置され、前記被包装体を支持する緩衝部材と、を備えた梱包装置において、
前記緩衝部材が上下紙板間に中空セルの壁面をほぼ垂直に有するハニカム構造からなり、前記中空セルの壁面が前記底面に対してほぼ垂直となるように配置されたことを特徴とする包装装置。
【請求項２】
前記緩衝部材が、前記箱体内の他方の対向側壁面と前記被包装体との各間に前記中空セルの壁面が前記他方の対向側壁面に対してほぼ垂直となるように当接配置されたことを特徴とする請求項１に記載の包装装置。
【請求項３】
前記被包装体からいずれかの側壁面ヘ突出した部位がある時は、前記緩衝部材が、その突出部位を吸収するように、前記突出側側壁面と前記被包装体との間に前記中空セルの壁面が前記突出側側壁面に対してほぼ垂直となるように設けられたことを特徴とする請求項２に記載の包装装置。
【請求項４】
直角四辺形の段ボール板の互いに対向するいずれか一方の対向辺のそれぞれから垂直に一定長さの切込を隣接する他方の対向辺から一定の距離でそれぞれ２個所づつ入れる第１のステップと、この切込間の段ボール板の前記一定長さから前記一定距離を引いた領域に、上下紙板間に中空セルの壁面が垂直に設けられたハニカム構造の緩衝部材を貼り付ける第２のステップと、この貼り付けた両側段ボール板の各両端部を前記切込の奥側端部でほぼ直角に上方へそれぞれ折り曲げる第３のステップと、この折り曲げた両側段ボール板を更に前記切込線に沿ってほぼ直角に内側へ折り曲げる第４のステップと、前記切込間の各段ボール板をその切込奥側端部でほぼ直角に内側ヘそれぞれ折り曲げる第５のステップと、この折り曲げられた切込間の各段ボール板を更に前記引いた差の部位でほぼ直角に内側ヘそれぞれ折り曲げる第６のステップと、を備えたことを特徴とする包装装置の組立方法。
【請求項５】
前記第１のステップが、前記直角四辺形の段ボール板の四隅を前記一定長さと前記一定距離のほぼ差分だけカットすることを特徴とする請求項４に記載の包装装置の組立方法。
【発明の詳細な説明】
【０００１】
【発明の属する技術分野】
この発明は、被包装体を収納保持する包装装置に関するものである。
【０００２】
【従来の技術】
従来の包装装置は、被包装体を収納する包装装置において、被包装体が収納される箱体と、この箱体内に載置され、被包装体を支持する紙管材の緩衝部材と、を備え、前記紙管材の緩衝部材の断面形状がＬ字状であって、被包装体に当接する平面状の当接部と、この当接部の端部から当接部の背面側に向かって延出して形成され、前記当接部の背面側との間で複数の緩衝用空間を形成するように前記当接部の背面側に対向し複数に屈曲する屈曲部と、を有する構成のもである（例えば、特許文献１参照。）。
【０００３】
【特許文献１】
特開平１１−７９１６２号公報（第１―３頁、第１図）
【０００４】
【発明が解決しようとする課題】
従来の包装装置は上記のように構成されているので、物流・荷扱いにおける振動や落下の衝撃や、或いは、上下方向の圧縮荷重に対しても弱いという問題があった。
また、部品点数も多く、組み立てや分解も複雑で時間がかかり、コストが高くなるという問題もあった。
【０００５】
この発明は係る問題点を解消するためになされたもので、部品点数が少なく、組立・分解が容易で、振動や落下の衝撃にも強く、圧縮荷重にも優れた包装装置及びその組立方法を得ることを目的とする。
【０００６】
【課題を解決するための手段】
この発明の包装装置は、被包装体を収納する上方が開放した箱体と、この箱体内のいずれか一方の対向側壁面の底面にそれぞれ載置され、前記被包装体を支持する緩衝部材と、を備えた梱包装置において、
前記緩衝部材が上下紙板間に中空セルの壁をほぼ垂直に有するハニカム構造からなり、前記中空セルの壁面が前記底面に対してほぼ垂直となるように配置されたものである。
【０００７】
また、前記緩衝部材が、前記箱体内の他方の対向側壁面と前記被包装体との各間に前記中空セルが前記他方の対向側壁面に対してほぼ垂直となるように当接配置されたものである。
【０００８】
また、前記被包装体からいずれかの側壁面ヘ突出した部位がある時は、前記緩衝部材が、その突出部位を吸収するように前記突出側側壁面と前記被包装体との間に前記中空セルの壁面が前記突出側側壁面に対してほぼ垂直となるように設けられたものである。
【０００９】
また、直角四辺形の段ボール板の互いに対向するいずれか一方の対向辺のそれぞれから垂直に一定長さの切込を隣接する他方の対向辺から一定の距離でそれぞれ２個所づつ入れる第１のステップと、この切込間の段ボール板の前記一定長さから前記一定距離を引いた領域に、上下紙板間に中空セルの壁面が垂直に設けられたハニカム構造の緩衝部材を貼り付ける第２のステップと、この貼り付けた両側段ボール板の各両端部を前記切込の奥側端部でほぼ直角に上方へそれぞれ折り曲げる第３のステップと、この折り曲げた両側段ボール板を更に前記切込線に沿ってほぼ直角に内側へ折り曲げる第４のステップと、前記切込間の各段ボール板をその切込奥側端部でほぼ直角に内側ヘそれぞれ折り曲げる第５のステップと、この折り曲げられた切込間の各段ボール板を更に前記引いた差の部位でほぼ直角に内側ヘそれぞれ折り曲げる第６のステップと、を備えたものである。
【００１０】
また、前記第１のステップが、前記直角四辺形の段ボール板の四隅を前記一定長さと前記一定距離のほぼ差分だけカットするものである。
【００１１】
【発明の実施の形態】
実施の形態１．
以下に、この発明の実施の形態１について図１から図４を用いて説明する。
これらの図において、１は空気調和機の室外機等の被包装体、２はこの被包装体１の天面を保護する下方が開放した天面箱体、３は被包装体１の底面を保護する上方が開放したトレイ型の底部箱体、４はこの底部箱体内に設けられ、被包装体１を支持する緩衝部材であり、この緩衝部材４は上・下紙板４ａ、４ｃの間に中空セル４ｂの壁面４ｄが垂直するように設けられたハニカム構造である。
また、５は被包装体を介して天面段ボール箱２と底部箱体段ボール箱３とを結束する結束バンドである。
【００１２】
次に、この構成の動作について説明する。
まず、図２に示すように、上方が開放したトレイ型の底部箱体３内のいずれか一方の対向側壁面の底面にハニカム構造の緩衝部材４を、この緩衝部材４の中空セル４ｂの壁面ｄが低面に対してほぼ垂直となるようにそれぞれ配置する。
【００１３】
次に、この対向配置した緩衝部材４の上に被包装体１としての空調機の室外機等を搭載した後、キャップ型（下方開放型）の天面段ボール箱２を被せて、バンド５により、トレイ型の底部箱体３と、この緩衝部材４に搭載した被包装体１と、この上に被せられた天面段ボール箱２とを一体化して、倉庫に多段積み（例えば、８段積み）で保管したり、或いは、トラックに３段ないし４段積みして輸送したりする。
【００１４】
そのため、特に、被包装体１を支持する緩衝部材４の強度は、荷積み強度や、物流時における振動衝撃・落下衝撃強度に対して充分に耐えるような構造にする必要がある。
従って、前述したように、被包装体１を支持する緩衝部材４の上・下紙板４ａ，４ｃの間に設けられた中空セル４ｂの壁面を被包装体１に対してほぼ垂直となるようにする。
その結果、上下方向の耐荷重が積層段ボールに較べ約５倍以上強くなるので、荷積み荷重や、物流時の振動衝撃や落下衝撃に対して充分に耐えられるようになる。
【００１５】
また、この時、図３の如く、他方の対向側壁面と被包装体１との間に緩衝部材４を設け、その中空セル４ｂの壁面が対向側壁面に対して垂直方向になるように配置すると、前後方向の衝撃荷重に対しても強くなり、前後方向及び上下方向の衝撃荷重、強いては、斜め方向の衝撃荷重に対しても強くなるので、ほぼ全方向の衝撃荷重に対して強い包装装置が得られることになる。
【００１６】
また、この時、被包装体１からいずれかの側壁面に対して突出した部位がある時は、図４の如く、その突出部位を吸収するように、緩衝部材４がその突出側側壁面と被包装体１との間に緩衝部材４の中空セル４ｂの壁面が突出側側壁面に対して垂直方向となるように配置する。
【００１７】
なお、このようにすると、緩衝部材４が作る空間によって被包装体１の突出部位を吸収し、振動・落下時の突出部による破損を防止するようになるので、信頼性の高い包装装置が得られることになる。
【００１８】
また、このような包装装置の構成にすると、被包装体１を組み立てる時に、この包装装置を組立ラインの被包装体１の移動保護手段（トレイ）として利用できるため、経済的な包装装置が得られることになる。
【００１９】
実施の形態２．
以下に、この発明の実施の形態２について図５を用いながら説明する。
なお、この実施の形態２は、実施の形態１に示したような包装装置の組立方法に関するものであり、また、図５はその包装装置の組立手順を示した図で、この図において、実施の形態１の符号と同じ符号は同じものを示す。
【００２０】
次に、この組立方法の手順について説明する。
まず、図５の（ａ）に示すように、直角四辺形の段ボール板６の互いに対向するいずれか一方の対向辺のそれぞれから垂直方向に一定長さ（Ｌ）の切込７を隣接する他方の対向辺から一定の距離（Ｗ）でそれぞれ２個所づつ入れる（第１のステップ）。
次に、この２個所づつ入れられた切込７の間の段ボール板６に、図５の（ｂ）の如く、上下紙板の間に中空セルの壁面が垂直に設けられたハニカム構造の緩衝部材を、前述の切込一定長さから一定距離を引いた分の領域Ａに貼り付ける（第２のステップ）。
【００２１】
次に、この緩衝部材４を貼り付けた両側の各段ボール板６ａの両端部を、図５の（ｃ）の如く、切込７の奥側端部の位置で上方側にほぼ直角にそれぞれ折り曲げる（第３のステップ）。
次に、この折り曲げた両側の各段ボール板６ａを、図５の（ｄ）の如く、切込線に沿ってヘほぼ直角に内側へそれぞれ折り曲げる（第４のステップ）。
【００２２】
次に、図５の（ｅ）の如く、切込間の各段ボール板をその切込奥側端部でほぼ直角に内側ヘそれぞれ折り曲げる第５のステップと、この折り曲げられた切込間の各段ボール板を更に切込一定長さから一定距離を引いた部位でほぼ直角に内側ヘ折り曲げる第６のステップ、を行って包装装置の組立を完了する。
【００２３】
なお、このような組立方法にすると、段ボール材料を捨てることなく、圧縮荷重に強い包装装置を簡単に組立られるため、経済的な包装装置の組立方法が得られる。
【００２４】
また、前述の第１のステップで、図６の（ａ）の如く、直角四辺形の段ボール板の互いに対向するいずれか一方の対向辺のそれぞれから垂直に一定長さ（Ｌ）の切込を隣接する他方の対向辺から一定の距離（Ｗ）でそれぞれ２個所づつ入れると共に、直角四辺形の段ボール板の四隅を一定長さと一定距離とのほぼ差分の領域をカットし、その後、第２から第６のステップを行うようにしても良い。
【００２５】
なお、このようにすると、切込長さ（Ｌ）が切込間の１／２以上になっても、第４ステップの互いの切込長さをその切込奥側端部でほぼ直角に内側ヘ折り曲げても、Ｌ−Ｗ分だけ重らなくなると共に、四隅のカットによって第６ステップの折り曲げが容易になるため、更に組立自由度が高く、組立性の良い包装装置の組立方法が得られる。
【００２６】
【発明の効果】
以上説明したように、この発明の包装装置においては、被包装体を収納する上方が開放した箱体と、この箱体内のいずれか一方の対向側壁面の底面にそれぞれ載置され、前記被包装体を支持する緩衝部材と、を備えた梱包装置において、
前記緩衝部材が上下紙板間に中空セルの壁をほぼ垂直に有するハニカム構造からなり、前記中空セルの壁面が前記底面に対してほぼ垂直となるように配置されたので、荷積み荷重や、物流時の振動・落下衝撃荷重に充分耐えられる信頼性の高い包装装置が得られる。
【００２７】
また、前記緩衝部材が、前記箱体内の他方の対向側壁面と前記被包装体との各間に前記中空セルが前記他方の対向側壁面に対してほぼ垂直となるように当接配置されたので、前後方向及び上下方向の衝撃荷重、強いては、斜め方向の衝撃荷重に対しても強くなるため、ほぼ全方向の衝撃荷重に対して強い包装装置が得られる。
【００２８】
また、前記被包装体からいずれかの側壁面ヘ突出した部位がある時は、前記緩衝部材が、その突出部位を吸収するように前記突出側側壁面と前記被包装体との間に前記中空セルの壁面が前記突出側側壁面に対してほぼ垂直となるように設けられたので、緩衝部材４が作る空間により被包装体１の突出部位を吸収して、振動・落下時の突出部による破損を防止するようになるため、信頼性の高い包装装置が得られる。
【００２９】
また、直角四辺形の段ボール板の互いに対向するいずれか一方の対向辺のそれぞれから垂直に一定長さの切込を隣接する他方の対向辺から一定の距離でそれぞれ２個所づつ入れる第１のステップと、この切込間の段ボール板の前記一定長さから前記一定距離を引いた領域に、上下紙板間に中空セルの壁面が垂直に設けられたハニカム構造の緩衝部材を貼り付ける第２のステップと、この貼り付けた両側段ボール板の各両端部を前記切込の奥側端部でほぼ直角に上方へそれぞれ折り曲げる第３のステップと、この折り曲げた両側段ボール板を更に前記切込線に沿ってほぼ直角に内側へ折り曲げる第４のステップと、前記切込間の各段ボール板をその切込奥側端部でほぼ直角に内側ヘそれぞれ折り曲げる第５のステップと、この折り曲げられた切込間の各段ボール板を更に前記引いた差の部位でほぼ直角に内側ヘそれぞれ折り曲げる第６のステップと、を備えたので、段ボール材料を捨てることなく、圧縮荷重に強い包装装置を簡単に組立られるため、経済的な包装装置の組立方法が得られる。
【００３０】
また、前記第１のステップが、前記直角四辺形の段ボール板の四隅を前記一定長さと前記一定距離のほぼ差分だけカットするので、切込長さ（Ｌ）が切込間の１／２以上の長さになっても互いに重ならなくなると共に、四隅のカットによって第６ステップの折り曲げが容易になるためため、更に組立自由度が高く、組立性の良い包装装置の組立方法が得られる。
【図面の簡単な説明】
【図１】この発明の実施の形態１による包装装置の概略構成の斜視図である
【図２】この発明の実施の形態１における包装装置の底部箱体の組立図である。
【図３】この発明の実施の形態１における包装装置の底部箱体の組立図である。
【図４】この発明の実施の形態１によるその他の包装装置底部箱体の組立図である。
【図５】この発明の実施の形態２における包装装置の組立方法の手順を示した図である。
【図６】この発明の実施の形態２におけるその他の包装装置の組立方法手順を示した図である。
【符号の説明】
１  被包装体、２  天面箱体、３  底部箱体、４  ハニカム構造の緩衝部材、４ａ  上紙板、４ｂ  中空セル、４ｃ  下紙板、４ｄ  中空セル壁面、５  結束バンド、６  直角四辺形の段ボール板、６ａ  切込両外側の段ボール板、６ｂ  段ボール板の四隅部、６ｃ  切込間の段ボール板、７  切込部。
【図１】
2004168328.tif 000003
【図２】
2004168328.tif 000004
【図３】
2004168328.tif 000005
【図４】
2004168328.tif 000006
【図５】
2004168328.tif 000007
【図６】
2004168328.tif 000008